【手続補正書】
【提出日】平成30年4月9日(2018.4.9)
【手続補正１】
【補正対象書類名】特許請求の範囲
【補正対象項目名】全文
【補正方法】変更
【補正の内容】
【特許請求の範囲】
【請求項１】
第１ユーザによって操作される情報処理装置であって、
前記第１ユーザが活用を希望する知的財産権に関する公報の情報を、第１情報としてサーバに通知する公報通知手段と、
前記サーバにおいて、
前記広報通知手段により通知された前記第１情報により特定される前記公報に含まれ得る第１書類の内容のうち、所定の文字、図形、記号、又はそれらの結合が、第２情報として抽出され、
当該公報に含まれ得る第２書類の内容のうち、抽出された前記第２情報と関連する文字、図形、記号又はそれらの結合が、第３情報として抽出され、
所定の文字、図形、記号、又はそれらの結合を第４情報として予め登録している複数の第２ユーザのうち、抽出された前記第３情報と関連のある第４情報を登録した者が、通知対象者として決定され、
当該通知対象者の端末に対して、当該知的財産権に関する情報が第５情報として通知され、
当該通知対象者の端末から、当該第５情報に関する当該知的財産権に対して当該通知対象者が興味を有する旨の第６情報が取得されて、
当該第６情報に基づいて、前記複数の第２ユーザの中に当該知的財産に興味を有する者が存在することを少なくとも示す情報が、第７情報として生成され、
当該第７情報が前記情報処理装置に送信された場合において、
当該第７情報を受付ける受付手段と、
を備える情報処理装置。
【請求項２】
前記知的財産権は特許権又は実用新案権であり、
前記第１書類は、請求の範囲であり、
前記第２情報は、明細書、図面又は要約書である、
請求項１に記載の情報処理装置。
【請求項３】
前記受付手段により受け付けられる前記第７情報は、前記知的財産に興味を有する1以上の前記通知対象者の夫々に関する情報であって、当該通知対象者を特定する情報が除外されている、
請求項１又は２に記載の情報処理装置。
【請求項４】
前記第７情報における前記１以上の通知対象者のうち、前記第１ユーザにより選択された選択者に対して、当該選択者を特定する情報の開示要求を、第８情報として前記サーバに通知する通知手段をさらに備える、
請求項３に記載の情報処理装置。
【請求項５】
第１ユーザによって操作される情報処理装置が実行する情報処理方法であって、
前記第１ユーザが活用を希望する知的財産権に関する公報の情報を、第１情報としてサーバに通知する公報通知ステップと、
前記サーバにおいて、
前記広報通知ステップの処理により通知された前記第１情報により特定される前記公報に含まれ得る第１書類の内容のうち、所定の文字、図形、記号、又はそれらの結合が、第２情報として抽出され、
当該公報に含まれ得る第２書類の内容のうち、抽出された前記第２情報と関連する文字、図形、記号又はそれらの結合が、第３情報として抽出され、
所定の文字、図形、記号、又はそれらの結合を第４情報として予め登録している複数の第２ユーザのうち、抽出された前記第３情報と関連のある第４情報を登録した者が、通知対象者として決定され、
当該通知対象者の端末に対して、当該知的財産権に関する情報が第５情報として通知され、
当該通知対象者の端末から、当該第５情報に関する当該知的財産権に対して当該通知対象者が興味を有する旨の第６情報が取得されて、
当該第６情報に基づいて、前記複数の第２ユーザの中に当該知的財産に興味を有する者が存在することを少なくとも示す情報が、第７情報として生成され、
当該第７情報が前記情報処理装置に送信された場合において、
当該第７情報を受付ける受付ステップと、
を含む情報処理方法。
【請求項６】
第１ユーザによって操作される情報処理装置を制御するコンピュータに、
前記第１ユーザが活用を希望する知的財産権に関する公報の情報を、第１情報としてサーバに通知する公報通知ステップと、
前記サーバにおいて、
前記広報通知ステップの処理により通知された前記第１情報により特定される前記公報に含まれ得る第１書類の内容のうち、所定の文字、図形、記号、又はそれらの結合が、第２情報として抽出され、
当該公報に含まれ得る第２書類の内容のうち、抽出された前記第２情報と関連する文字、図形、記号又はそれらの結合が、第３情報として抽出され、
所定の文字、図形、記号、又はそれらの結合を第４情報として予め登録している複数の第２ユーザのうち、抽出された前記第３情報と関連のある第４情報を登録した者が、通知対象者として決定され、
当該通知対象者の端末に対して、当該知的財産権に関する情報が第５情報として通知され、
当該通知対象者の端末から、当該第５情報に関する当該知的財産権に対して当該通知対象者が興味を有する旨の第６情報が取得されて、
当該第６情報に基づいて、前記複数の第２ユーザの中に当該知的財産に興味を有する者が存在することを少なくとも示す情報が、第７情報として生成され、
当該第７情報が前記情報処理装置に送信された場合において、
当該第７情報を受付ける受付ステップと、
を含む制御処理を実行させるプログラム。
【請求項７】
サーバにおいて、
第１ユーザが活用を希望する知的財産権に関する公報に含まれ得る第１書類の内容のうち、所定の文字、図形、記号、又はそれらの結合が、第１情報として抽出され、
当該公報に含まれ得る第２書類の内容のうち、抽出された前記第１情報と関連する文字、図形、記号又はそれらの結合が、第２情報として抽出されて、
所定の文字、図形、記号、又はそれらの結合を第３情報として予め登録している複数の第２ユーザのうち、抽出された前記第２情報と関連のある第３情報を登録した者が、通知対象者として決定され、
前記通知対象者の端末に対して、当該知的財産権に関する情報が第４情報として通知される場合における、
当該通知対象者の端末として機能する情報処理装置において、
前記第４情報を取得する取得手段と、
取得された当該第４情報に関する当該知的財産権に対して当該通知対象者が興味を有するか否かを含む情報を、第５情報として前記サーバに提供する提供手段と、
を備える情報処理装置。
【請求項８】
前記知的財産権は特許権又は実用新案権であり、
前記第１書類は請求の範囲であり、
前記第２情報は明細書、図面又は要約書である、
請求項７に記載の情報処理装置。
【請求項９】
前記提供手段が、前記知的財産に対して興味を有する旨を含む情報を前記第５情報として前記サーバに提供した場合、
前記サーバにおいて、前記情報処理装置を操作する前記通知対象者に関する情報が、当該通知対象者を特定する情報が除外されて、前記第１ユーザの端末に通知される、
請求項７又は８に記載の情報処理装置。
【請求項１０】
前記サーバにおいて、さらに、前記情報処理装置を操作する前記通知対象者が、前記第１ユーザにより選択された選択者となり、当該選択者を特定する情報の開示要求が、当該第１ユーザの端末から受け付けられて、前記選択者としての前記通知対象が操作する前記情報処理装置に通知されてきた場合、
前記取得手段は、さらに、当該開示要求を取得する、
請求項９に記載の情報処理装置。
【請求項１１】
前記提供手段が、前記知的財産に対して興味を有しない旨を含む情報を前記第５情報として前記サーバに提供し、
前記サーバにおいて、前記情報処理装置以外の他の通知対象者の端末から前記知的財産に対して興味を有する旨の情報が通知されて、当該他の通知対象者を特定する情報が除外されて、前記第１ユーザの端末に通知され、
前記他の通知対象者が、前記第１ユーザにより選択された選択者となり、当該他の選択者を特定する情報の開示要求が、当該第１ユーザの端末から受け付けられ、
前記通知対象者が操作する前記情報処理装置に対して、当該他の通知対象者に関する情報が通知されてきた場合、
前記取得手段は、さらに、当該他の通知対象者に関する当該情報を取得する、
請求項７又は８に記載の情報処理装置。
【請求項１２】
サーバにおいて、
第１ユーザが活用を希望する知的財産権に関する公報に含まれ得る第１書類の内容のうち、所定の文字、図形、記号、又はそれらの結合が、第１情報として抽出され、
当該公報に含まれ得る第２書類の内容のうち、抽出された前記第１情報と関連する文字、図形、記号又はそれらの結合が、第２情報として抽出されて、
所定の文字、図形、記号、又はそれらの結合を第３情報として予め登録している複数の第２ユーザのうち、抽出された前記第２情報と関連のある第３情報を登録した者が、通知対象者として決定され、
前記通知対象者の端末に対して、当該知的財産権に関する情報が第４情報として通知される場合における、
当該通知対象者の端末が実行する情報処理方法において、
前記第４情報を取得する取得ステップと、
取得された当該第４情報に関する当該知的財産権に対して当該通知対象者が興味を有するか否かを含む情報を、第５情報として前記サーバに提供する提供ステップと、
を含む情報処理方法。
【請求項１３】
サーバにおいて、
第１ユーザが活用を希望する知的財産権に関する公報に含まれ得る第１書類の内容のうち、所定の文字、図形、記号、又はそれらの結合が、第１情報として抽出され、
当該公報に含まれ得る第２書類の内容のうち、抽出された前記第１情報と関連する文字、図形、記号又はそれらの結合が、第２情報として抽出されて、
所定の文字、図形、記号、又はそれらの結合を第３情報として予め登録している複数の第２ユーザのうち、抽出された前記第２情報と関連のある第３情報を登録した者が、通知対象者として決定され、
前記通知対象者の端末に対して、当該知的財産権に関する情報が第４情報として通知される場合における、
当該通知対象者の端末を制御するコンピュータに、
前記第４情報を取得する取得ステップと、
取得された当該第４情報に関する当該知的財産権に対して当該通知対象者が興味を有するか否かを含む情報を、第５情報として前記サーバに提供する提供ステップと、
を含む制御処理を実行させるプログラム。